(57)【特許請求の範囲】
【請求項１】
表面に装飾層が形成された物品であって、
装飾層は、金属ナノ粒子からなる金属反射層と、該金属反射層の上側に位置する透明のＵＶインクからなる凸レンズ状の断面形状を有するＵＶ印刷層とを備え、
装飾層は、抜き模様部を有する主印刷層を備え、抜き模様部に金属反射層が形成されていることを特徴とする装飾層を有する物品。
【請求項２】
主印刷層は、ブロックイソシアネートを含むインクからなり、ＵＶ印刷層は、抜き模様部から外側にはみ出して主印刷層の上に積層されたはみ出し部を有している請求項１記載の装飾層を有する物品。
【請求項３】
ＵＶ印刷層のはみ出し部は、抜き模様部の外側の全周を包囲するように形成されている請求項２記載の装飾層を有する物品。
【請求項４】
金属反射層の上に透明インクからなる中間印刷層が積層され、該中間印刷層の上にＵＶ印刷層が積層されている請求項１乃至３の何れかに記載の装飾層を有する物品。
【発明の詳細な説明】
【技術分野】
【０００１】
本発明は、表面に装飾層が形成された物品に関する。
【背景技術】
【０００２】
釣竿の表面には各種の模様が装飾層として形成される。特に、金属光沢を有する装飾層は高級感を演出することができる。しかしながら、金属光沢を有する層は薄膜であるため立体感に乏しいという問題がある。
【先行技術文献】
【特許文献】
【０００３】
【特許文献１】特開２０１２−２３５７０７号公報
【発明の概要】
【発明が解決しようとする課題】
【０００４】
それゆえに本発明は上記従来の問題点に鑑みてなされ、立体感のある金属光沢を得ることができる物品を提供することを課題とする。
【課題を解決するための手段】
【０００５】
本発明は上記課題を解決すべくなされたものであって、本発明に係る装飾層を有する物品は、表面に装飾層が形成された物品であって、装飾層は、金属ナノ粒子からなる金属反射層と、該金属反射層の上側に位置する透明のＵＶインクからなるＵＶ印刷層とを備えていることを特徴とする。
【０００６】
該構成の装飾層を有する物品にあっては、装飾層が金属ナノ粒子からなる金属反射層を備えているので、高級感のある金属光沢が得られる。そして、金属反射層の上側には透明なＵＶ印刷層が形成されているので、ＵＶ印刷層を介して金属反射層を見ることになる。ＵＶ印刷層は立体的であって凸レンズのような存在となっている。従って、ＵＶ印刷層を介して金属反射層を見たとき、あたかも凸レンズを介して金属反射層を見るような感じになり、実際の金属反射層は極めて薄いものの、金属反射層が実際の厚さ以上に感じられる。即ち、薄く平面的な金属光沢の装飾ではなく、厚み感やボリューム感のある立体感に富んだ金属光沢を有する装飾が得られる。
【０００７】
特に、装飾層は、抜き模様部を有する主印刷層を備え、抜き模様部に金属反射層が形成されていることが好ましく、金属反射層とその上側に位置するＵＶ印刷層とによって抜き模様部が浮かび上がるように光って見える。また、金属反射層が主印刷層で囲まれた状態にあるので、ＵＶ印刷層がガード壁として機能して、金属反射層がその外縁部から剥離するということが主印刷層によって効果的に防止される。
【０００８】
その場合特に、主印刷層は、ブロックイソシアネートを含むインクからなり、ＵＶ印刷層は、抜き模様部から外側にはみ出して主印刷層の上に積層されたはみ出し部を有していることが好ましい。ＵＶインクは紫外線を照射することによりラジカルを発生する。その際、ＵＶ印刷層と主印刷層との境界部分において、主印刷層のブロックイソシアネートがラジカル反応する。即ち、主印刷層のブロックイソシアネートとＵＶ印刷層のＵＶインクの光重合性のオリゴマーやモノマーとが共有結合を形成する。この共有結合によってＵＶ印刷層と主印刷層とが強固に密着することになる。つまり、抜き模様部から外側にはみ出して主印刷層の上に積層されたＵＶ印刷層のはみ出し部が共有結合によって主印刷層と強固に密着するのでＵＶ印刷層が剥がれにくくなる。
【０００９】
特に、ＵＶ印刷層のはみ出し部は、抜き模様部の外側の全周のうち部分的に一箇所あるいは複数箇所に形成されていてもよいが、抜き模様部の外側の全周を包囲するように形成されていることが好ましく、ＵＶ印刷層の剥離が確実に防止されると共に、金属反射層の剥離も確実に防止される。
【００１０】
また、装飾層は、ブロックイソシアネートを含むインクからなる主印刷層を備え、該主印刷層の上側に金属反射層が位置し、ＵＶ印刷層は、金属反射層から外側にはみ出して主印刷層の上に積層されたはみ出し部を有していることが好ましい。該構成においても、ＵＶ印刷層のはみ出し部が共有結合によって主印刷層と強固に密着するのでＵＶ印刷層が剥がれにくくなる。
【００１１】
特に、ＵＶ印刷層のはみ出し部は、金属反射層の外側の全周を包囲するように形成されていることが好ましく、ＵＶ印刷層の剥離が確実に防止されると共に、金属反射層の剥離も確実に防止される。
【００１２】
また、金属反射層の上に透明インクからなる中間印刷層が積層され、該中間印刷層の上にＵＶ印刷層が積層されていることが好ましい。このように透明インクからなる中間印刷層を介在させることにより、金属反射層の発色が良くなる。また、ＵＶ印刷層の密着性も向上する。
【００１３】
また、本発明に係る装飾層を有する物品は、表面に装飾層が形成された物品であって、装飾層は、ＵＶインクからなるＵＶ印刷層と、該ＵＶ印刷層の上側に位置する金属ナノ粒子からなる金属反射層とを備えていることを特徴とする。
【００１４】
該構成の装飾層を有する物品にあっては、装飾層が金属ナノ粒子からなる金属反射層を備えているので、高級感のある金属光沢が得られる。そして、金属反射層の下側にはＵＶ印刷層が形成されており、該ＵＶ印刷層は厚みのある立体的なものとなっている。従って、ＵＶ印刷層の上側に位置している金属反射層もＵＶ印刷層と共に立体的な印刷層となり、実際の金属反射層は極めて薄いものの、金属反射層が実際の厚さ以上に見える。即ち、薄く平面的な金属光沢の装飾ではなく、厚み感やボリューム感のある立体感に富んだ金属光沢を有する装飾が得られる。
【発明の効果】
【００１５】
以上のように、本発明に係る装飾層を有する物品にあっては、金属反射層の上側に透明なＵＶインク層を備える場合には、ＵＶインク層による凸レンズ効果によって立体感のある金属光沢を有する装飾が得られる。また、ＵＶインク層の上側に金属反射層を備える場合には、立体的なＵＶインク層によって立体感のある金属光沢を有する装飾が得られる。
【図面の簡単な説明】
【００１６】
【図１】本発明の一実施形態における装飾層を有する物品の要部断面図。
【図２】本発明の他の実施形態における装飾層を有する物品の要部断面図。
【図３】本発明の他の実施形態における装飾層を有する物品の要部断面図。
【図４】本発明の他の実施形態における装飾層を有する物品の要部断面図。
【図５】本発明の他の実施形態における装飾層を有する物品の要部断面図。
【図６】本発明の他の実施形態における装飾層を有する物品の要部断面図。
【図７】本発明の他の実施形態における装飾層を有する物品の要部断面図。
【発明を実施するための形態】
【００１７】
以下、本発明の一実施形態に係る装飾層を有する物品について図面を参酌しつつ説明する。本実施形態における物品は、物品本体１の表面に装飾層が形成されたものである。かかる物品は各種の用途に使用される物品であってよく、釣り具や自転車部品として好適である。例えば、釣り具としてはリールの部品や、釣竿の竿本体やリールシート、釣り糸ガイドのガイドフレーム等に適用できる。物品の表面の材質も特には限定されないが、例えば、射出成形による樹脂成形品の装飾として好適であり、繊維強化樹脂からなる成形品の装飾として好適であり、長さが１ｍｍ以下の短繊維が混合されている合成樹脂成形品の装飾として好適である。
【００１８】
＜断面構造＞
図１に本実施形態における装飾層を有する物品の要部断面図を示している。装飾層は、物品本体１の表面に形成されたアンダーコート層２と、該アンダーコート層２の上に形成された、抜き模様部３ａを有する主印刷層３と、該主印刷層３における抜き模様部３ａに形成された金属反射層４と、該金属反射層４の上に形成されたＵＶ印刷層５とを備えている。尚、図１に二点鎖線で示すように、装飾層を覆うトップコート層６が保護層として形成されることが好ましい。トップコート層６は、エポキシ、ウレタン、アクリル、アクリルシリコン等の透明または半透明の合成樹脂から構成される。トップコート層６は、装飾層の全体を覆うように形成されることが好ましい。尚、各層は単層であってもよいし二層以上の複層であってもよい。
【００１９】
＜アンダーコート層２＞
アンダーコート層２は、ベース塗料からなり、有色であっても無色であってもよく、また透明であっても不透明であってもよい。アンダーコート層２は、各種の塗料からなり、アクリルウレタンやアクリルメラミン、エポキシ系、エステル系等であってよい。
【００２０】
＜主印刷層３＞
主印刷層３は、第一の模様を構成している。第一の模様は種々の図柄や文字であってよい。主印刷層３の形成領域はアンダーコート層２の形成領域内にあり、従って、主印刷層３の形成領域はアンダーコート層２の形成領域よりも小さい面積であって、主印刷層３はアンダーコート層２を下地層としてその上に形成されている。尚、主印刷層３は一箇所設けられていてもよいし、複数箇所に設けられていてもよい。主印刷層３は、印刷されていない部分である抜き模様部３ａをその形成領域内に有している。抜き模様部３ａは例えば文字や図形であってよく、一つの主印刷層３に一箇所形成されていてもよいし、二箇所以上形成されていてもよい。
【００２１】
主印刷層３は、ブロックイソシアネートを含む一液型インクからなる。該一液型インクは、特にはインクジェット用のインクであって、従って、主印刷層３はインクジェット印刷装置によって形成できる。一液型インクは、主剤と硬化剤とを含んでいる。主剤は活性水素を有する化合物で、硬化剤はイソシアネート化合物である。一液型インクはブロック型であって、イソシアネートをブロック剤でマスクしたブロックイソシアネートを有しているものである。ブロックイソシアネートは加熱によってブロック剤が解離してイソシアネート基が再生される。尚、熱ではなく光によってブロック剤が解離するものであってもよい。
【００２２】
一液型インクは、ブロックイソシアネートとポリオールからなる一液型ポリウレタン樹脂塗料としてよい。ブロックイソシアネートは、各種のイソシアネート化合物に各種のブロック剤を反応して得られたものである。ブロックイソシアネートに用いられる素原料であるイソシアネート化合物は種々のものであってよく、例えば、ジフェニルメタンジイソシアネート（ＭＤＩ）、イソシアン酸メチル（ＭＩＣ）、ヘキサメチレンジイソシアネート（ＨＤＩ）、トルエンジイソシアネート（ＴＤＩ）、イソホロンジイソシアネート（ＩＰＤＩ）等であってよい。
【００２３】
ブロック剤は種々のものであってよく、アルコール類、ε−カプロラクタム、フェノール類、オキシム類、活性メチレン化合物等がある。また、ポリオールは各種のものであってよく、例えば、アクリルポリオール、ポリエステルポリオール、ポリカーボネートポリオール等であってよい。
【００２４】
尚、一液型インクは、溶剤、染料や顔料、分散剤を含んでいる。また、ブロックイソシアネートの他に、ブロック剤でマスクされていない各種のイソシアネートを含有してよい。但し、マスクされていないイソシアネートを含有する場合、そのイソシアネートはブロックイソシアネートよりも少量とされる。
【００２５】
＜金属反射層４＞
金属反射層４は、主印刷層３の抜き模様部３ａに形成されている。金属反射層４は、抜き模様部３ａの一部ではなく、抜き模様部３ａの全体を埋めるように抜き模様部３ａの全体に亘って形成されており、従って、金属反射層４の形成領域は抜き模様部３ａの形成領域と等しく、金属反射層４は抜き模様部３ａと同じ形状、模様を構成している。
【００２６】
金属反射層４は、金属ナノ粒子からなる。金属ナノ粒子は、銀、金、銅、ニッケル、クロム、白金、パラジウム及びこれらの合金のうち、何れか１つ又は何れかの混合体が用いられる。金属ナノ粒子は、金属錯体を加熱することで析出したものであってもよいし、常温において既に粒子の状態となっているものであってもよい。金属ナノ粒子の粒径は、例えば１〜１００ｎｍ程度である。例えば、金属ナノ粒子を０．０１μｍ以上、好ましくは０．０２μｍ以上の厚みで分散塗布し、所定温度で加熱することで、金属ナノ粒子が焼結し、粒子界面が金属結合して一体化して、金属反射層４が形成される。特に、銀又はその合金からなるナノ粒子や、銀ナノ粒子と他の金属のナノ粒子との混合体は、比較的低温の例えば１００℃程度で焼結が開始するため好適である。また、インクジェット用のインクとしてインクジェット印刷装置によって塗布して金属反射層４を形成することも好ましい。一例としてアミンを配位子とする銀金属錯体を用いることができる。該銀金属錯体は、アルコールで希釈することによって流動性を持たせることができる。また、加熱によって析出した銀ナノ粒子同士が溶融連結するので、表面密度が高く、緊密に連結する。
【００２７】
＜ＵＶ印刷層５＞
ＵＶ印刷層５は、抜き模様部３ａを埋めるように形成された金属反射層４の上に形成されていると共に、抜き模様部３ａから外側にはみ出すようにして金属反射層４の全体を覆っている。ＵＶ印刷層５は、抜き模様部３ａ即ち金属反射層４の形状に合わせて形成されている。ＵＶ印刷層５は、抜き模様部３ａ即ち金属反射層４から外側にはみ出したはみ出し部５ａを有しており、そのはみ出し部５ａは金属反射層４の外側の全周に亘って形成されており、従って、はみ出し部５ａは環状（円形とは限らない）であって金属反射層４を包囲している。ＵＶ印刷層５は、金属反射層４の全体と密着しており、また、そのはみ出し部５ａは、主印刷層３と密着している。ＵＶ印刷層５は透明であり、無色透明であってもよいし、有色透明であってもよい。
【００２８】
ＵＶ印刷層５は、ＵＶインクからなる。ＵＶインクは、紫外線を照射することによって硬化し定着する、速硬性に優れたインクである。該ＵＶインクもインクジェット用のインクであることが好ましく、主印刷層３や金属反射層４と共にインクジェット印刷装置によってＵＶ印刷層５を形成できる。ＵＶインクは光重合タイプであってよく、紫外線によって硬化する樹脂を含有している。紫外線硬化型樹脂は、各種のラジカル重合系樹脂であってよく、各種のオリゴマーやモノマーであってよい。オリゴマーとしては、エポキシアクリレート、ウレタンアクリレート、ポリエテルアクリレートが挙げられる。光重合開始剤も各種のものであってよく、ベンゾフェノン系、ベンゾイン系、アセトフェノン系、チオキサントン系、アシルフォスフィンオキサイド系等が挙げられる。尚、ＵＶインクは、これらの光重合性のオリゴマー等と光重合開始剤の他に消泡剤等を含む。
【００２９】
＜製造工程＞
例えば、釣竿の竿本体に上記構成の装飾層を形成する工程について各インク等の一例を挙げつつ説明する。マンドレルにプリプレグを巻回し加熱焼成して竿本体を形成した後、マンドレルから取り外した竿本体を竿保持具で保持しつつその表面にベース塗料を塗布する。塗布後、竿保持具から竿本体を取り外して８０〜１００℃で２０〜３０分加熱して、竿本体の表面にアンダーコート層２を形成する。アンダーコート層２は竿本体の全体に形成することができる。一例としては、ベース塗料としてウレタン塗料を使用する。アンダーコート層２がウレタン塗料からなる場合、ウレタン結合を有するので下記一般式で表すことができる。
【化１】
0006732526.tif 000002
【００３０】
その後、竿本体を竿保持具に装着して、インクジェット印刷装置で一液型インクを竿本体に塗布してアンダーコート層２の上に抜き模様部３ａを有する主印刷層３を形成する。一液型インクとしては、例えば、ε−カプロラクタムをブロック剤としたブロックイソシアネートと、ポリオール（Ｒ４−ＯＨ）の他に、ブロック型ではないイソシアネート（Ｒ３−ＮＣＯ）を含むものを使用する。ε−カプロラクタムをブロック剤としたブロックイソシアネートは、下記一般式で表されれる。
【化２】
0006732526.tif 000003
【００３１】
その後、竿本体を竿保持具から取り外すことなく、主印刷層３の抜き模様部３ａに、例えば金属ナノ粒子を分散塗布する。この塗布にもインクジェット印刷装置を使用してよい。そして、抜き模様部３ａの上にＵＶインクをインクジェット印刷装置で塗布する。その際、抜き模様部３ａから外側に所定量はみ出すようにして塗布する。そして塗布したＵＶインクに紫外線を照射し硬化させてＵＶ印刷層５を形成する。ＵＶインクの塗布後に直ちに紫外線を照射することでＵＶインクの広がりを防止でき、ＵＶ印刷層５を凸形状に形成できると共に抜き模様部３ａに沿って正確にＵＶ印刷層５を形成できる。ＵＶインクは、下記一般式で表されるＵＶ硬化樹脂を含んでいる。
【化３】
0006732526.tif 000004
【００３２】
紫外線を照射すると、光重合開始剤が開裂によってラジカルが発生してラジカル重合が開始され、ＵＶインクが硬化する。その際、ＵＶ硬化樹脂は下記一般式で表されるようにラジカルに変換して活性化した状態となる。
【化４】
0006732526.tif 000005
【００３３】
紫外線が照射されると、主印刷層３とＵＶ印刷層５のはみ出し部５ａとの間の境界部分（界面）において、一液型インク中の未反応のブロックイソシアネートとＵＶインク中の活性化したＵＶ硬化樹脂とがラジカル反応して、下記一般式で表される共有結合が形成される。
【化５】
0006732526.tif 000006
【００３４】
その後、竿保持具から竿本体を取り外して、１００℃以上の高温で２０〜３０分加熱する。尚、加熱後にトップコート層６を形成してもよい。加熱することで、金属ナノ粒子が焼結して、抜き模様部３ａに金属反射層４が形成される。また、主印刷層３を構成する一液型インク中のブロックイソシアネートにおいてブロック剤が解離してイソシアネートが再生し、その再生したイソシアネートと一液型インク中のポリオールとが反応して、一液型インクが硬化する。尚、上述のようにラジカル反応したブロックイソシアネートは、この加熱によっては反応せずブロック剤は解離しない。従って、ＵＶ照射の後に加熱しても、主印刷層３のはみ出し部５ａとＵＶ印刷層５との間の境界部分における上記共有結合は維持される。尚、アンダーコート層２と主印刷層３との間の境界部分においては、下記一般式のように水素結合が形成されることになる。
【化６】
0006732526.tif 000007
【００３５】
以上のように、表面に装飾層が形成された竿本体にあっては、アンダーコート層２の上に主印刷層３が積層されて模様が形成されているので、主印刷層３による模様がムラなく形成され、抜き模様部３ａも正確に形成でき、金属反射層４も密着良く綺麗に形成できる。そして、金属反射層４が金属ナノ粒子からなるので、高級感のある金属光沢が得られる。しかも、金属反射層４が抜き模様部３ａに形成されているので、抜き模様部３ａにより構成される模様が光沢のあるものとなり意匠性が高まる。
【００３６】
更に、金属反射層４の上にＵＶ印刷層５が形成されているので、抜き模様部３ａが浮かび上がるように光って見える。抜き模様部３ａに形成された金属反射層４はＵＶ印刷層５を介して見えることになる。そのＵＶ印刷層５は立体的であって凸レンズのような効果を発揮する。従って、ＵＶ印刷層５を介して金属反射層４を見たとき、あたかも凸レンズを介して金属反射層４を見るような感じになって、金属反射層４が実際の厚さ以上にボリュームのある状態で見える。従って、厚み感やボリューム感のある立体感に富んだ金属光沢を有する装飾が得られ、それが抜き模様部３ａであることから抜き模様部３ａが浮かび上がって見えることになる。
【００３７】
また、抜き模様部３ａに金属反射層４が形成されていてその周囲には主印刷層３が存在しているので、金属反射層４がその外縁部から剥離するということが主印刷層３によって効果的に防止される。しかも、ＵＶ印刷層５のはみ出し部５ａと主印刷層３との境界部分には共有結合が形成されているので、ＵＶ印刷層５のはみ出し部５ａは主印刷層３と強固に密着している。従って、ＵＶ印刷層５の剥離が防止されるうえに、ＵＶ印刷層５の下側に位置する金属反射層４の剥離も防止される。更に、主印刷層３とＵＶ印刷層５とで金属反射層４がサンドイッチされた状態になっているので、金属反射層４の剥離が確実に防止される。特に、ＵＶ印刷層５のはみ出し部５ａが全周に亘って形成されていて金属反射層４が包囲されているので、ＵＶ印刷層５の剥離が確実に防止されると共に、金属反射層４の剥離も確実に防止される。また、アンダーコート層２と主印刷層３との間に水素結合が形成されるので、両層間の密着性も高い。
【００３８】
尚、図２のように抜き模様部３ａに形成した金属反射層４の上に、透明インクからなる中間印刷層７を形成し、該中間印刷層７の上にＵＶ印刷層５を形成してもよい。このように透明インクからなる中間印刷層７を介在させると、金属反射層４の発色が良くなり、また、ＵＶ印刷層５の密着性も向上する。透明インクとしては、例えば、アクリルウレタンやエポキシのインクが使用できる。
【００３９】
尚、図３のようにＵＶ印刷層５が抜き模様部３ａから外側にはみ出していなくてもよい。即ち、ＵＶ印刷層５と主印刷層３とが密着していない構成であってもよく、その場合、抜き模様部３ａ及び金属反射層４と中間印刷層７とＵＶ印刷層５とは、互いに形状、大きさが同じになる。図１に示した形態においても同様であり、抜き模様部３ａ及び金属反射層４とＵＶ印刷層５とが互いに同じ形状、大きさであってよい。
【００４０】
また、主印刷層３の抜き模様部３ａに金属反射層４が形成された場合には限られない。即ち、図４のように主印刷層３の上に金属反射層４を重ねて形成するようにしてもよい。その場合、図４のようにＵＶ印刷層５には、金属反射層４から外側にはみ出して主印刷層３の上に密着したはみ出し部５ａが形成されることが好ましい。この形態においても、ＵＶ印刷層５のはみ出し部５ａが共有結合によって主印刷層３と強固に密着するのでＵＶ印刷層５が剥がれにくくなる。また、主印刷層３とＵＶ印刷層５とで金属反射層４がサンドイッチされるので、金属反射層４の剥離も防止でき、特に、ＵＶ印刷層５のはみ出し部５ａが金属反射層４の外側の全周を包囲していれば、ＵＶ印刷層５の剥離がより一層防止され、金属反射層４の剥離もより一層防止されることになる。尚、図５のようにはみ出し部５ａが形成されないようにＵＶ印刷層５を金属反射層４の上に形成するようにしてもよく、金属反射層４とＵＶ印刷層５とは互いに同じ形状、大きさであってよい。また、逆に、金属反射層４よりもＵＶ印刷層５の方が小さくてもよい。図４や図５に示す形態においても上述したのと同様に、金属反射層４とＵＶ印刷層５との間に透明インクからなる中間印刷層７を設けることが好ましい。
【００４１】
また、上記実施形態では、金属反射層４の上側にＵＶ印刷層５を設けた構成について説明したが、ＵＶ印刷層５の上側に金属反射層４を設けた構成としてもよい。例えば、図６のように主印刷層３の上にＵＶ印刷層５を形成し、そのＵＶ印刷層５の上に金属反射層４を形成してもよい。金属反射層４はＵＶ印刷層５の全体を覆うようにその上に積層することが好ましい。このように金属反射層４の下側に形成されているＵＶ印刷層５は厚みのある立体的な凸形状となっている。そのため、ＵＶ印刷層５の上側に位置している金属反射層４もＵＶ印刷層５の凸形状に合わせて立体的な凸形状となる。金属反射層４の厚さは実際には極めて薄いけれども、ＵＶ印刷層５によって凸形状となっているので、金属反射層４が実際の厚さ以上にボリューム感のある状態に見える。従って、立体感に富んだ金属光沢を有する装飾が得られる。尚、この構成においても、主印刷層３とＵＶ印刷層５との境界部分においては共有結合が形成されるので、主印刷層３とＵＶ印刷層５とが強固に密着した状態となり、ＵＶ印刷層５の剥離が防止される結果、その上に積層されている金属反射層４の剥離も防止される。
【００４２】
また、ＵＶ印刷層５の上側に金属反射層４を設ける構成においても中間印刷層７を介在させるようにしてもよい。例えば、図７のように、ＵＶ印刷層５の上に中間印刷層７を積層し、その中間印刷層７の上に金属反射層４を積層するようにしてもよい。このようにＵＶ印刷層５の上に中間印刷層７を介して金属反射層４を設けようにすると、金属反射層の密着性が向上し、その発色も良くなる。尚、中間印刷層７を構成するインクは透明であってもよいし不透明であってもよく、アクリルウレタンやエポキシのインクが使用できる。
【００４３】
尚、ＵＶインクに一液型インクを所定量混合してもよい。ＵＶインクに一液型インクを所定量（例えば数％〜２０％）混合させると、主印刷層３とＵＶ印刷層５との間の境界部分における共有結合がより一層確実に形成されることになって、主印刷層３とＵＶ印刷層５との間の密着性がより一層高まる。
【００４４】
また、上記実施形態では主印刷層３が一液型インクから構成された場合について説明したが、一液型インク以外の種々のインク、塗料であってもよい。
【符号の説明】
【００４５】
１    物品本体
２    アンダーコート層
３    主印刷層
３ａ  抜き模様部
４    金属反射層
５    ＵＶ印刷層
５ａ  はみ出し部
６    トップコート層
７    中間印刷層
【図１】
0006732526.tif 000008
【図２】
0006732526.tif 000009
【図３】
0006732526.tif 000010
【図４】
0006732526.tif 000011
【図５】
0006732526.tif 000012
【図６】
0006732526.tif 000013
【図７】
0006732526.tif 000014